(57)【要約】【課題】遊技の進行に合わせた演出表示の制約を大幅に緩和して演出効果をさらに高めるために、それぞれが独立して画像表示を行う複数の画像表示手段を設けた場合であっても、遊技機のタイプに応じて個々の画像表示手段あるいは複数の画像表示手段全体に対する視野角を最適化すること。【解決手段】前扉の開口窓に取り付けられる取付枠体２２０に、それぞれが独立して画像表示を行う液晶表示部２４０，２４１，２４２を収容するケース体２５０を取り付けるとともに、中央の液晶表示部２４０の両側の液晶表示部２４０，２４２をそれぞれ形状の異なるたとえば傾き調整治具２４３を介してケース体２５０内部に取り付け、液晶表示部２４０，２４２の傾き角度をたとえば傾き調整治具２４３の形状に応じて調整されるようにした。【選択図】図６
2008220678.tif 000002
【特許請求の範囲】
【請求項１】
遊技機の筐体の開口が開閉自在な前扉で閉じられ、該前扉に遊技結果を提示するメインリール装置を備えた遊技機の演出表示装置であって、
前記前扉の開口窓に取り付けられる取付枠体と、
遊技の進行に合わせそれぞれが独立して画像表示を行う複数の画像表示手段と、
前記取付枠体に取り付けられ、複数の前記画像表示手段を収容するケース体と、
該ケース体に対して着脱自在とされ、前記画像表示手段の傾き角度を調整する傾き調整手段とを備え、
前記画像表示手段のいずれかが前記傾き調整手段を介して前記ケース体に取り付けられている
ことを特徴とする演出表示装置。
【請求項２】
前記傾き調整手段は、前記画像表示手段の傾き角度をそれぞれ異なるようにする形状を有する複数の傾き調整治具であり、
いずれかの前記傾き調整治具を介していずれかの前記画像表示手段を前記ケース体に取り付けることで、前記ケース体内部におけるいずれか前記画像表示手段が前記傾き調整治具の形状に合わせた傾き角度とされる
ことを特徴とする請求項１に記載の演出表示装置。
【請求項３】
前記複数の傾き調整治具は、
板状の基体と、
該基体の両端に突設され、前記画像表示手段の背面側を固定する固定手段とを備え、
前記複数の傾き調整治具における、前記基体の一端側及び／又は他端側の前記固定手段の突設量がそれぞれ異なっている
ことを特徴とする請求項２に記載の演出表示装置。
【請求項４】
前記ケース体には、前記傾き調整手段を着脱可能に係合する係合片が設けられていることを特徴とする請求項１〜３のいずれかに記載の演出表示装置。
【請求項５】
前記ケース体の前記係合片が設けられる部位は、前記ケース体の中央に向けて傾けられていることを特徴とする請求項４に記載の演出表示装置。
【請求項６】
請求項１〜５のいずれかに記載の演出表示装置を備えることを特徴とする遊技機。
【発明の詳細な説明】
【技術分野】
【０００１】
本発明は、遊技に伴う演出効果を高めることに適した演出表示装置及び遊技機に関する。
【背景技術】
【０００２】
遊技機の一種として回胴式遊技機である、たとえばスロットマシンがある。スロットマシンは、複数の図柄が付された回転体としての複数のリールを備え、遊技者がメダルを投入してスタートレバーを操作することで各リールが回転を開始する。各リールが回転を開始した後、ストップボタンを操作したり所定時間が経過したりすることで、各リールが順次停止する。
【０００３】
また、スロットマシンでは、メダル（又はコインともよばれている）の投入とスタートレバーの操作を条件として抽選を行い、その抽選結果が当選であり、かつ予め設定された有効ライン上に遊技者が当選した図柄を停止させることを条件として所定枚数のメダルが払い出されたり、遊技者に有利な特別遊技状態（ボーナスゲーム等）が発生する。
【０００４】
ところで、このようなスロットマシンでは、特別遊技状態（ボーナスゲーム等）が発生すると、スピーカから効果音を出力したりランプを点灯させたりすることで、演出効果が高められるようになっている。ところが、このような演出方法では、演出効果が単調となるため、近年ではゲーム進行に関わる可変表示装置の他に、周面に演出用識別情報等が配置された演出用リールを電気的に駆動することで、種々の演出が行えるようにした演出方法が提案されている。
【０００５】
このような演出を行わせるものとして、特許文献１では、１ゲームに対して賭数を設定することによりゲームが開始可能となるとともに、表示状態を変化させることが可能な可変表示装置の表示結果が導出表示されることにより１ゲームが終了し、該可変表示装置の表示結果に応じて所定の入賞が発生可能なスロットマシンにおいて、ゲームの進行に関わる演出を実行することが可能であるとともに、電気的駆動源により駆動され、周面に演出用識別情報が配置された複数の演出用リールを設け、ゲーム進行に関わる様々な演出を実行可能としたスロットマシンを提案している。
【０００６】
ところが、このような演出方法では、複数の演出用リールを設けてはいるが、これらの演出用リールは小型であるためその演出効果が十分に発揮されないという問題がある。
【０００７】
このような問題を解決するものとして、特許文献２では、スロットマシンの上部パネル部に遊技結果を提示するための小型のメインリール装置を配置し、メインリール装置より下方の中部パネル部に、演出表示装置としての大型のサブリール装置を配置するとともに、メインリール装置に複数の図柄が外周面に付された３個のメインリールを設け、ストップボタンの操作に応じて各メインリールを停止させ、遊技結果を提示し、併せてサブリール装置の回転等により多様な演出表示を行わせるようにしたスロットマシンを提案している。
【０００８】
【特許文献１】特開２００２−２２４２７０号公報
【特許文献２】特開２００５−２７７０７号公報
【発明の開示】
【発明が解決しようとする課題】
【０００９】
このように、上述した特許文献２に示されるスロットマシンでは、中部パネル部に演出表示装置としての大型のサブリール装置を設け、回転等により多様な演出表示を行わせるようにしている。
【００１０】
すなわち、そのサブリール装置は、絵柄や模様等が印刷されているいわゆる化粧板に相当する略長方形の演出用パネルと、この演出用パネルの両側に設けられた演出用ランプと、中部パネル部の裏面側に配置させた演出表示を行うためのメインリールよりも大型のサブリールとを有し、演出用パネルの中央部に一体成形されている略長方形の透明な窓を介してサブリールの回転による演出表示を確認できるようにしたものである。
【００１１】
ところが、このようなサブリール装置では、たとえばスタートレバーがオン操作された時点から全てのメインリールが停止するまでの期間において、サブ制御基板の制御の下で各サブリールを様々に回転させることにより、遊技者の視覚に訴える演出表示が行われるが、その演出表示は各サブリールの様々な回転によることに限られてしまうため、サブリールの回転以外の演出表示を行うことができず、演出効果を高めるためには制約があるという問題があった。
【００１２】
このような問題を解決するためには、たとえば、それぞれが独立して画像表示を行う複数の画像表示手段を設け、それぞれの画像表示手段に表示される内容を任意に設定し多彩な演出が行われるようにすることで、ゲーム進行に合わせた演出表示の制約を大幅に緩和することができ、演出効果がさらに高められるものと考えられる。
【００１３】
ところが、それぞれが独立して画像表示を行う複数の画像表示手段を設ける場合は、それぞれの画像表示手段を単に並設させてしまうと、個々の画像表示手段あるいは複数の画像表示手段全体に対する視野角が固定化されてしまい、遊技機のタイプに応じて視野角を最適化することが困難となってしまう。
【００１４】
そこで、それぞれが独立して画像表示を行う複数の画像表示手段を設けた場合であっても、遊技機のタイプに応じて個々の画像表示手段あるいは複数の画像表示手段全体に対する視野角を最適化することができる演出表示装置の開発が望まれていた。
【００１５】
本発明は、このような状況に鑑みてなされたものであり、遊技の進行に合わせた演出表示の制約を大幅に緩和して演出効果をさらに高めるために、それぞれが独立して画像表示を行う複数の画像表示手段を設けた場合であっても、遊技機のタイプに応じて個々の画像表示手段あるいは複数の画像表示手段全体に対する視野角を最適化することができる演出表示装置及び遊技機を提供することを目的とする。
【課題を解決するための手段】
【００１６】
本発明の演出表示装置は、遊技機の筐体の開口が開閉自在な前扉で閉じられ、該前扉に遊技結果を提示するメインリール装置を備えた遊技機の演出表示装置であって、前記前扉の開口窓に取り付けられる取付枠体と、遊技の進行に合わせそれぞれが独立して画像表示を行う複数の画像表示手段と、前記取付枠体に取り付けられ、複数の前記画像表示手段を収容するケース体と、該ケース体に対して着脱自在とされ、前記画像表示手段の傾き角度を調整する傾き調整手段とを備え、前記画像表示手段のいずれかが前記傾き調整手段を介して前記ケース体に取り付けられていることを特徴とする。
【００１７】
また、前記傾き調整手段は、前記画像表示手段の傾き角度をそれぞれ異なるようにする形状を有する複数の傾き調整治具であり、いずれかの前記傾き調整治具を介していずれかの前記画像表示手段を前記ケース体に取り付けることで、前記ケース体内部におけるいずれか前記画像表示手段が前記傾き調整治具の形状に合わせた傾き角度とされるようにしてもよい。
【００１８】
また、前記複数の傾き調整治具は、板状の基体と、該基体の両端に突設され、前記画像表示手段の背面側を固定する固定手段とを備え、前記複数の傾き調整治具における、前記基体の一端側及び／又は他端側の前記固定手段の突設量がそれぞれ異なっているようにしてもよい。
【００１９】
また、前記ケース体には、前記傾き調整手段を着脱可能に係合する係合片が設けられているようにしてもよい。
また、前記ケース体の前記係合片が設けられる部位は、前記ケース体の中央に向けて傾けられているようにしてもよい。
【００２０】
本発明の遊技機は、請求項１〜５のいずれかに記載の演出表示装置を備えることを特徴とする。
【００２１】
本発明の演出表示装置及び遊技機では、前扉の開口窓に取り付けられる取付枠体に、それぞれが独立して画像表示を行う複数の画像表示手段を収容するケース体を取り付けるとともに、いずれかの画像表示手段を傾き調整手段を介してケース体内部に取り付けることで、その画像表示手段の傾き角度が傾き調整手段により調整されることにより、その画像表示手段の視野角が調整され、併せて複数の画像表示手段全体に対する視野角も調整される。
【発明の効果】
【００２２】
本発明の演出表示装置及び遊技機によれば、いずれかの画像表示手段を傾き調整手段を介してケース体内部に取り付けることで、その画像表示手段の傾き角度が傾き調整手段により調整されることにより、その画像表示手段の視野角が調整され、併せて複数の画像表示手段全体に対する視野角も調整されるようにしたので、遊技の進行に合わせた演出表示の制約を大幅に緩和して演出効果をさらに高めるために、それぞれが独立して画像表示を行う複数の画像表示手段を設けた場合であっても、遊技機のタイプに応じて個々の画像表示手段あるいは複数の画像表示手段全体に対する視野角を最適化することができる。
【発明を実施するための最良の形態】
【００２３】
本実施形態では、前扉の開口窓に取り付けられる取付枠体に、それぞれが独立して画像表示を行う複数の画像表示手段を収容するケース体を取り付けるとともに、いずれかの画像表示手段をたとえばそれぞれ形状の異なるいずれかの傾き調整治具を介してケース体内部に取り付けることで、その画像表示手段の傾き角度がいずれかの傾き調整治具により調整されることにより、その画像表示手段の視野角が調整され、併せて複数の画像表示手段全体に対する視野角も調整されるようにした。
【００２４】
これにより、遊技の進行に合わせた演出表示の制約を大幅に緩和して演出効果をさらに高めるために、それぞれが独立して画像表示を行う複数の画像表示手段を設けた場合であっても、遊技機のタイプに応じて個々の画像表示手段あるいは複数の画像表示手段全体に対する視野角が最適化されることになる。
【実施例】
【００２５】
以下、本発明の実施例の詳細について説明する。図１は、本発明の演出表示装置が適用される回胴式遊技装置の一例を示す図、図２は図１の回胴式遊技装置をを示す分解斜視図、図３は図１の回胴式遊技装置の内部構成を示す断面図である。
【００２６】
これらの図に示すように、回胴式遊技装置であるスロットマシン１は、遊技者側に面する、いわゆるフロントマスクを構成する前扉３が略矩形状の箱体である筐体２の開口側に対し蝶番機構２ａにより左側端部側を回動支点として開閉可能に取り付けられている。前扉３は、上部パネル部３Ａ、中部パネル部３Ｂ、操作卓部３Ｃ及び下部パネル部３Ｄに概ね分けられ、これらは化粧板として視覚効果を高めてデザインされた硬質プラスチックにより一体的に形成されている。
【００２７】
筐体２の内部には、ゲームの入賞に応じてメダルの払い出しを行うホッパ装置３００と、ホッパ装置３００から溢れたメダルを収容する補助貯留部４００と、スロットマシン１の各部に電力を供給するための電源装置５００等が設けられている。
【００２８】
また、前扉３は、筐体２の開口を閉塞する位置で、操作卓部３Ｃに設けられている鍵穴４を有する図示しない施錠装置によりロックされ、ホールスタッフ等が図示しない主制御基板上の各電子素子等の状態の確認を含むメンテナンス作業や出玉管理作業等を行う場合、前扉３の鍵穴４に専用鍵を差し込んでそのロックを解除すると、前扉３が開放されるようになっている。
【００２９】
前扉３の上部パネル部３Ａには、遊技結果を提示するためのメインリール装置である第１演出表示装置１００が取り付けられている。前扉３の中部パネル部３Ｂには、演出表示装置としての第２演出表示装置２００が取り付けられている。また、中部パネル部３Ｂの両側には、高輝度発光ダイオードを内蔵したサイドランプ５ａ，５ｂが配置されている。これらのサイドランプ５ａ，５ｂは、リーチや大当たり等の際に点灯又は点滅して遊技者の視覚に訴える演出を行うものである。なお、第１演出表示装置１００及び第２演出表示装置２００の詳細については後述する。
【００３０】
前扉３の操作卓部３Ｃには、ゲームに使用するメダルを投入するための投入口を有するメダル投入部６、コインをベットするベットボタン７、ゲームの操作を指示するスタートレバー８、第１演出表示装置１００の後述のメインリール１０１，１０２，１０３をストップさせるストップボタン９ａ，９ｂ，９ｃ等が設けられている。
【００３１】
ここで、メダル投入部６は、筐体２内部に向けて下降する傾斜面を有しており、複数のメダルを連続投入できるようになっている。なお、現状のスロットマシン１では、１ゲームに必要とされるメダルが３枚となっているため、３枚を超えてメダルが連続投入されると、最大５０枚までクレジットされるようになっている。
【００３２】
ベットボタン７は、スロットマシン１のゲームに賭けるメダルの枚数を提示するための押圧式の操作スイッチであり、ＭＡＸベットボタンと呼ばれている。すなわち、メダルがクレジットされているとき、ゲーム開始時にベットボタン７を操作すると、そのクレジットされているメダルのうち３枚がベットされるようになっている。
【００３３】
スタートレバー８は、第１演出表示装置１００の後述のメインリール１０１，１０２，１０３を一斉に回転させる指示をするためのレバースイッチであり、先端に設けられている球形の操作ノブを上下左右のいずれかの方向に傾倒操作するとオン作動し、その操作ノブから手が離されるとスプリングの付勢力によって自動的に元の位置に戻ってオフするように構成されている。
【００３４】
ストップボタン９ａ，９ｂ，９ｃは、第１演出表示装置１００の後述のメインリール１０１，１０２，１０３の回転停止を個別に指示するための押圧式スイッチであり、各メインリール１０１，１０２，１０３の配列に対応してそれぞれ並設されている。
【００３５】
前扉３の下部パネル部３Ｄには、スロットマシン１のモデルタイプ等を遊技者へ認識させるため、たとえば登場キャラクターの絵等を表示するパネル１０が設けられている。
なお、下部パネル部３Ｄの下方には、入賞時等においてメダルを排出するメダル排出口１１ａを有する受皿ユニット１１と、図示しないスピーカを内蔵しゲームの進行に応じて演出効果音を発生させる演出効果音部１２ａ，１２ｂと、灰皿１２ｃ等がそれぞれ配設されている。
【００３６】
ここで、上述した遊技結果を提示するための第１演出表示装置１００は、図２に示すように、前扉３の外側から上部パネル部３Ａの枠穴１３に取り付けられ、ねじ等によって上部パネル部３Ａに固定されている。第１演出表示装置１００には、メインリール１０１，１０２，１０３を有するメインリール機構部１１０と、透明な硬質プラスチックよりなる基板ケース１２１に収容されゲームの演出に係る制御を主に行う回胴装置基板１２０とが設けられている。なお、メインリール機構部１１０は、硬質プラスチックのケース等に収納されたユニット構造となっている。
【００３７】
また、第１演出表示装置１００には、メインリール１０１，１０２，１０３を覆う表示パネル１３０が設けられている。この表示パネル１３０は、中央部にメインリール１０１，１０２，１０３を視認可能とする略長方形の透明窓１３１を有し、その透明窓１３１の周囲に映像を表示可能な液晶パネルで構成されている。
【００３８】
また、第１演出表示装置１００には、意匠的に遊技者の視覚に訴える形状及び色彩、模様、絵柄等を施してデザイン設計された複数の演出用ランプ１３２〜１３６と、演出用の効果音を発する図示しないスピーカを有する放音部１３７，１３８が設けられている。そして、図示しない主制御基板からリール停止を示す制御信号が供給されると、回胴装置基板１２０によりメインリール１０１，１０２，１０３が停止されるようになっている。また、図示しない主制御基板から演出開始を示唆する制御信号が供給されると、回胴装置基板１２０により演出用ランプ１３２〜１３６による点滅又は点灯によっての演出と、放音部１３７，１３８からの効果音による演出とが行われるようになっている。
【００３９】
一方、上述した演出表示を行うための第２演出表示装置２００は、前扉３の内側から中部パネル部３Ｂの開口窓１４に取り付けられ、ねじ等によって中部パネル部３Ｂに固定される、硬質プラスチックにより一体成形された取付枠体２２０と、この取付枠体２２０に取り付けられる画像表示手段としての３個の液晶表示部２４０，２４１，２４２と、パトランプ２３０とを備えている。なお、第２演出表示装置２００の前面側は、透明なパネル部材２１０によって覆われている。
【００４０】
ここで、各液晶表示部２４０，２４１，２４２は、後述の金属製のケース２４０ａ，２４１ａ，２４２ａに収容され、それぞれ独立して透明な硬質プラスチックよりなるケース体２５０に組み込まれている。そして、そのケース体２５０が取付枠体２２０の背面側に取り付けられている。なお、ケース体２５０及び液晶表示部２４０，２４１，２４２の詳細については後述する。
【００４１】
ここで、取付枠体２２０には、各液晶表示部２４０，２４１，２４２の表示状態を確認するため３つに分離された分離窓２２１ａ，２２１ｂ，２２１ｃと、パトランプ２３０を取り付ける取付部２２２と、複数のＬＥＤランプ２２３ａ、クレジット枚数表示部２２３ｂ、払出枚数表示部２２３ｃ等を取り付けるための取付部２２３とが設けられている。
【００４２】
また、分離窓２２１ａ，２２１ｂ，２２１ｃにあっては、水平方向に沿って並設されているとともに、中央の分離窓２２１ｂが奥まった位置にあり、両側の分離窓２２１ａ，２２１ｃが中央の分離窓２２１ｂに向けて傾けられるように設けられている。そして、各液晶表示部２４０，２４１，２４２は、それぞれの分離窓２２１ａ，２２１ｂ，２２１ｃから確認できるようになっている。
【００４３】
このように、中央の分離窓２２１ｂに対し、両側の分離窓２２１ａ，２２１ｃが中央の分離窓２２１ｂに向けて傾けられるように設けることで、それぞれの分離窓２２１ａ，２２１ｂ，２２１ｃに対応する液晶表示部２４０，２４１，２４２の表示位置が異なることになり、たとえば表示内容の遠近感を誇張するような演出表示が可能となる。
【００４４】
なお、本実施例では、液晶表示部２４０，２４１，２４２を３個としているが、２個又は４個以上であってもよいことは勿論である。この場合、取付枠体２２０の分離窓２２１ａ，２２１ｂ，２２１ｃを液晶表示部２４０，２４１，２４２の個数に合わせて設けるようにすればよい。
【００４５】
また、本実施例では、取付枠体２２０の分離窓２２１ａ，２２１ｂ，２２１ｃを水平方向に沿って並設した場合としているが、これに限らず、垂直方向に沿って並設してもよく、さらには斜め方向に沿って並設してもよい。
【００４６】
また、本実施例では、中央の分離窓２２１ｂが奥まった位置にあり、両側の分離窓２２１ａ，２２１ｃが中央の分離窓２２１ｂに向けて傾けられるように設けているが、これに限らず、たとえば左側の分離窓２２１ａから右側の分離窓２２１ｃに向けて階段状に順に奥まった位置に設けられるようにしてもよい。このように、各分離窓２２１ａ，２２１ｂ，２２１ｃを階段状に設けることにより、それぞれの分離窓２２１ａ，２２１ｂ，２２１ｃに対応する液晶表示部２４０，２４１，２４２の表示位置が異なるため、上記同様に、たとえば表示内容の遠近感を誇張するような演出表示が可能となる。
【００４７】
取付枠体２２０のパトランプ２３０を取り付ける取付部２２２には、パトランプ２３０の後述の弧状の反射鏡２３１の形状に合わせた２個の弧状の反射鏡保持部２２２ａがパトランプ２３０を挟むように対向配置されている。なお、パトランプ２３０にあっては、後述の弧状の反射鏡２３１と、この反射鏡２３１の中央に取り付けられた光源体２３２とを有している。
【００４８】
また、３個の液晶表示部２４０，２４１，２４２を組み込んでいる上述のケース体２５０の背面側には、図３のように、透明な硬質プラスチックよりなる基板ケース２６１に収容されたサブ制御基板２６０が取り付けられている。このサブ制御基板２６０は、図示しない主制御基板からの演出開始を示唆する制御信号が供給されると、各液晶表示部２４０，２４１，２４２における演出表示を個別に制御したり、パトランプ２３０の点灯又は点滅動作を制御したり、取付枠体２２０の下方の取付部２２３に取り付けられている上述の複数のＬＥＤランプ２２３ａ、クレジット枚数表示部２２３ｂ及び払出枚数表示部２２３ｃ等の表示を制御したりする。
【００４９】
また、取付枠体２２０の下方の取付部２２３の背面側には、透明な硬質プラスチックよりなる基板ケース２７１に収容された中央表示制御基板２７０が取り付けられている。この中央表示制御基板２７０には、上述した操作卓部３Ｃに設けられているベットボタン７、スタートレバー８、ストップボタン９ａ，９ｂ，９ｃ等のスイッチ類が電気的に接続されており、これらスイッチ類の出力信号が筐体２内部に配設された図示しない主制御基板に転送されるように配線接続されている。
【００５０】
なお、各液晶表示部２４０，２４１，２４２における演出表示においては、ゲームの進行に合わせたリールの図柄表示、キャラクター表示、バトル表示等のような多彩な画像表示が可能である。この場合の画像表示は、静止画、動画、実写映像等とすることができ、さらにはこれらの画像の組み合わせでの表示も可能となり、あらゆる内容の画像表示を行うことができることから、ゲームの進行に合わせた多彩な演出表示が可能となる。
【００５１】
また、これらの液晶表示部２４０，２４１，２４２は、サブ制御基板２６０によりそれぞれが独立して画像表示を行うように制御されるため、ゲームの進行に合わせてたとえば液晶表示部２４０のみによる画像表示を行わせたり、液晶表示部２４０及び液晶表示部２４１のみによる画像表示を行わせたり、といったような液晶表示部２４０，２４１，２４２の画像表示の組み合わせによる演出表示も可能となる。
【００５２】
図４〜図６は、上述した第２演出表示装置２００の詳細を説明するための図である。ここで、図４は図３の回胴式遊技装置をＡ−Ａ線に沿って示す断面図、図５は図４の第２演出表示装置２００を拡大して示す平面図、図６は図４の第２演出表示装置２００を示す分解斜視図である。
【００５３】
まず、図５及び図６に示すように、第２演出表示装置２００の取付枠体２２０両側には、上述した透明なパネル部材２１０の周囲を係止する係止片２２０ａが設けられている。また、図６に示すように、取付枠体２２０の周囲には、前扉３側に図示しないねじによって取り付けられ複数の取付部２２４が設けられている。また、その取付枠体２２０の背面側の周囲の４個所には、ケース体２５０のねじ穴２５１ａを有する取付部２５１を図示しないねじによって取り付ける取付部２２５が設けられている。
【００５４】
また、取付枠体２２０の背面側には、山形形状に突出させた突出枠２２６が設けられている。すなわち、この突出枠２２６には、図４〜図６に示すように、各液晶表示部２４０，２４１，２４２が当接することになるが、中央の液晶表示部２４１が当接する当接部位２２６ｂが遊技者から見て平行とされているのに対し、左右（図４及び図５では上下）の液晶表示部２４０，２４２が当接する当接部位２２６ａ，２２６ｃは当接部位２２６ｂに向けて傾けられている。
【００５５】
また、この突出枠２２６には、それぞれの当接部位２２６ａ，２２６ｂ，２２６ｃに対応させて上述の分離窓２２１ａ，２２１ｂ，２２１ｃが設けられている。これらの分離窓２２１ａ，２２１ｂ，２２１ｃの大きさは、ケース体２５０に収容されているそれぞれの液晶表示部２４０，２４１，２４２の表示面に合わせられており、これらの分離窓２２１ａ，２２１ｂ，２２１ｃから各液晶表示部２４０，２４１，２４２の表示状態を確認することができるようになっている。
【００５６】
また、中央の分離窓２２１ｂの下方には、図６に示すように、上述したパトランプ２３０の形状に合わせて切り欠かれたパトランプ取付部２２６ｄが設けられており、このパトランプ取付部２２６ｄのねじ穴２２６ｅにパトランプ２３０が図示しないねじによって取り付けられるようになっている。
【００５７】
また、取付枠体２２０の下方の取付部２２３の背面側に形成されているねじ穴２２３ｄには、上述の基板ケース２７１の収容された中央表示制御基板２７０が取り付けられている。ここで、中央表示制御基板２７０には、その両端部と中央部に形成された３個のねじ挿通穴２７２を有している。また、基板ケース２７１には、そのねじ挿通穴２７２に対応させて３個のねじ挿通穴２７３が形成されている。
【００５８】
そして、後述の図１２に示すねじ２７４が基板ケース２７１のねじ挿通穴２７２と中央表示制御基板２７０のねじ挿通穴２７３とに挿通されて取付枠体２２０のねじ穴２２３ｄに螺着されることにより、基板ケース２７１の収容された中央表示制御基板２７０が取付枠体２２０の下方の取付部２２３の背面側に取り付けられるようになっている。なお、この基板ケース２７１の収容された中央表示制御基板２７０は、後述のように、取付枠体２２０のパトランプ取付部２２６ｄからパトランプ２３０を取り外さない限り、取り外しができないようになっている。
【００５９】
ケース体２５０には、金属製のケース２４０ａ，２４１ａ，２４２ａに収容された３個の液晶表示部２４０，２４１，２４２が収容されている。ここで、中央の液晶表示部２４１を挟むように設けられている両側の液晶表示部２４０，２４２にあっては、それぞれ２個の傾き調整治具２４３を介してケース体２５０内部に取り付けられている。中央の液晶表示部２４１にあっては、ケース体２５０内部に立設されている図示しないリブを介してケース体２５０内部に取り付けられている。なお、傾き調整治具２４３にあっては、後述の図８のようにそれぞれ形状の異なる傾き調整治具２４３Ａ，２４３Ｂに代えることも可能であるが、その詳細については後述する。
【００６０】
また、金属製のケース２４０ａ，２４１ａ，２４２ａの背面側には、図６に示すように、液晶表示部２４０，２４１，２４２の表示駆動を行う回路基板２４４ａ，２４４ｂ，２４４ｃに設けられている接続コネクタ２５５ａ，２５５ｂ，２５５ｃが露出させて設けられている。これらの接続コネクタ２５５ａ，２５５ｂ，２５５ｃには、サブ制御基板２６０に設けられている後述の接続コネクタ２６３ａ，２６３ｂ，２６３ｃが図示しないハーネスを介して接続されるようになっている。
【００６１】
また、ケース体２５０の背面側は、取付枠体２２０の背面側の突出枠２２６と同形状の山形形状に突出している。すなわち、中央の液晶表示部２４１が取り付けられる取付部位２５０ｂが突出枠２２６の当接部位２２６ｂと同様に平行とされているのに対し、左右の液晶表示部２４０，２４２が取り付けられる取付部位２５０ａ，２５０ｃは突出枠２２６の当接部位２２６ａ，２２６ｃと同様に、取付部位２５０ｂに向けて傾けられている。
【００６２】
また、ケース体２５０の背面側には、図６に示すように、ねじ穴２５２ａを有する複数の位置決めリブ２５２が設けられており、これらの位置決めリブ２５２に基板ケース２６１の挿入穴２６２ａを有する取付部２６２が位置決めされるとともに、取付部２６２の挿入穴２６２ａ及び位置決めリブ２５２のねじ穴２５２ａに後述の図１１に示すねじ２６５が螺着されることで、ケース体２５０の背面側に基板ケース２６１が取り付けられるようになっている。
【００６３】
また、ケース体２５０の背面側には、ねじ穴を有する複数の取付部２５３が設けられている。これらの取付部２５３には、ねじ穴２８１に挿入される図示しないねじにより、透明な硬質プラスチックよりなるハーネス収容ケース２８０が取り付けられるようになっている。
【００６４】
また、ケース体２５０には、上述の液晶表示部２４０，２４１，２４２の表示駆動を行う回路基板２４４ａ，２４４ｂ，２４４ｃ側の接続コネクタ２５５ａ，２５５ｂ，２５５ｃを露出させる開口部２５６がそれぞれの接続コネクタ２５５ａ，２５５ｂ，２５５ｃに対応させて形成されている。
【００６５】
ここで、基板ケース２６１には、凹部２６４ａ，２６４ｂ，２６４ｃが設けられている。これらの凹部２６４ａ，２６４ｂ，２６４ｃにより、サブ制御基板２６０に設けられている接続コネクタ２６３ａ，２６３ｂ，２６３ｃ，２６３ｄが露出されている。なお、接続コネクタ２６３ａ，２６３ｂ，２６３ｃは、図示しないハーネスを介して上述の液晶表示部２４０，２４１，２４２の表示駆動を行うとともに、上述したケース体２５０の開口部２５６から露出している回路基板２４４ａ，２４４ｂ，２４４ｃ側の接続コネクタ２５５ａ，２５５ｂ，２５５ｃに接続されるようになっている。接続コネクタ２６３ｄは、図示しないコードを介して図示しない主制御基板等に接続されるようになっている。
【００６６】
また、ハーネス収容ケース２８０には、ハーネス収容部２８２，２８３が設けられている。これらのハーネス収容部２８２，２８３により、図示しないハーネスの配線経路が分離されるようになっている。すなわち、ハーネス収容部２８２は、サブ制御基板２６０側の接続コネクタ２６３ａ，２６３ｂと、回路基板２４４ａ，２４４ｂ側の接続コネクタ２５５ａ，２５５ｂとを接続する図示しないハーネスが収容されるようになっている。また、ハーネス収容部２８３は、サブ制御基板２６０側の接続コネクタ２６３ｄと、回路基板２４４ｃ側の接続コネクタ２５５ｃとを接続する図示しないハーネスが収容されるようになっている。このようなことから、これらのハーネスをハーネス収容部２８２，２８３に収容する際に配線間違いを容易に確認することができる。
【００６７】
また、ハーネス収容ケース２８０には、基板ケース２６１の上部に設けられている取付部２６２の形状に合わせた凹部２８４が設けられている。この凹部２８４により、ケース体２５０に対する基板ケース２６１の取付方向の確認が容易に行えるようになっている。
【００６８】
図７及び図８は、上述した第２演出表示装置２００の各液晶表示部２４０，２４１，２４２の詳細を説明するための図である。ここで、図７は図４の第２演出表示装置２００の各液晶表示部２４０，２４１，２４２の取り付けを説明するための図、図８は図７の傾き調整治具を説明するための図である。
【００６９】
これらの図に示すように、上述の金属製のケース２４０ａ，２４１ａ，２４２ａに収容された３個の液晶表示部２４０，２４１，２４２がケース体２５０に取り付けられることになるが、中央の液晶表示部２４１を挟むように設けられている両側の液晶表示部２４０，２４２にあっては、上述したように、それぞれ２個の傾き調整治具２４３（又は後述の傾き調整治具２４３Ａ，２４３Ｂのいずれか）を介してケース体２５０内部に取り付けられる。なお、中央の液晶表示部２４１にあっては、上述したように、ケース体２５０内部に立設されている図示しないリブを介してケース体２５０内部に取り付けられる。
【００７０】
ここで、傾き調整治具２４３は、金属製のケース２４０ａ，２４２ａの背面側の上下に配置されるようになっている。また、それぞれの傾き調整治具２４３は、上述した突出枠２２６の当接部位２２６ａ，２２６ｃと同様に、取付部位２５０ｂに向けて傾けられている取付部位２５０ａ，２５０ｃの傾斜面に沿って水平となるように、ケース体２５０内部に取り付けられるようになっている。
【００７１】
すなわち、このような傾き調整治具２４３は、板状の基体２４３ａと、この基体２４３ａの両端に突設された連通穴を有する突設リブ２４３ｂと、これらの突設リブ２４３ｂの先端に突設されたねじ穴を有するリブ２４３ｃとを備えて構成されている。ここで、突設リブ２４３ｂ及びリブ２４３ｃによって固定手段が構成されている。
【００７２】
また、基体２４３ａのほぼ中央には、ねじ穴２４３ｄが形成されている。そして、これらの傾き調整治具２４３は、ケース体２５０の内面である、上述した液晶表示部２４０，２４２が取り付けられる取付部位２５０ａ，２５０ｃの上下にそれぞれ２個ずつ設けられている係合片２５４に係合され、さらにケース体２５０の背面側から挿通されるねじ２４０ｄにより基体２４３ａのねじ穴２４３ｄが螺着されることで、それぞれの取付部位２５０ａ，２５０ｃに固定される。
【００７３】
また、傾き調整治具２４３の各リブ２４３ｃに、中央の液晶表示部２４１を挟むように設けられている両側の液晶表示部２４０，２４２を収容する金属製のケース２４０ａ，２４２ａの周囲に形成されたねじ穴２４０ｂを位置合わせし、液晶表示部２４０，２４２の表面側から各ねじ穴２４０ｂにねじ２４０ｃを挿通し、各リブ２４３ｃのねじ穴に螺着することで金属製のケース２４０ａ，２４２ａに収容されている各液晶表示部２４０，２４２がケース体２５０の内面である、取付部位２５０ａ，２５０ｃにそれぞれ取り付けられる。
【００７４】
ここで、中央の液晶表示部２４１にあっては、上述したように、ケース体２５０の内面である、液晶表示部２４１が取り付けられる取付部位２５０ｂに突設されている図示しないねじ穴を有するリブにねじ２４０ｃを介して固定される。また、中央の液晶表示部２４１を収容する金属製のケース２４１ａにあっても、金属製のケース２４０ａ，２４２ａと同様に、周囲にねじ穴２４０ｂが形成されており、そのねじ穴２４０ｂを図示しないリブのねじ穴に位置合わせし、中央の液晶表示部２４１の表面側から各ねじ穴２４０ｂにねじ２４０ｃを挿通し、図示しないリブのねじ穴に螺着することで金属製のケース２４１ａに収容されている液晶表示部２４１がケース体２５０の内面である、上述した取付部位２５０ｂに取り付けられる。
【００７５】
この場合、その取付部位２５０ｂは、遊技者から見て平行とされているため、中央の液晶表示部２４１にあっては、遊技者から見て平行となるようにケース体２５０内部に取り付けられることになる。これに対し、中央の液晶表示部２４１を挟むように設けられている両側の液晶表示部２４０，２４２が取り付けられる取付部位２５０ａ，２５０ｃは取付部位２５０ｂに向けて傾けられている。また、取付部位２５０ａ，２５０ｃには、上述の傾き調整治具２４３を介して液晶表示部２４０，２４２が傾けられて取り付けられることになる。
【００７６】
すなわち、図８（ａ）の二点鎖線で示すように、傾き調整治具２４３がケース体２５０内部の取付部位２５０ａ，２５０ｃの傾きに沿ってケース体２５０内部に取り付けられることで、図８（ｂ）の二点鎖線で示すように、各液晶表示部２４０，２４２はその傾き調整治具２４３の傾きに合わせて取り付けられることになる。これにより、中央の液晶表示部２４１を挟むように設けられている両側の液晶表示部２４０，２４２は、遊技者から見て傾くように取り付けられることになる。
【００７７】
ここで、基体２４３ａの両端に突設されたそれぞれの突設リブ２４３ｂ及びリブ２４３ｃの高さである基体２４３ａからの突設量Ｔは、図８（ａ）では両者とも同じである場合としている。このように基体２４３ａの両端の突設リブ２４３ｂ及びリブ２４３ｃの突設量Ｔが同じである場合は、液晶表示部２４０，２４２の傾き角度がケース体２５０内部の取付部位２５０ａ，２５０ｃの傾きに合わせられることになる。
【００７８】
これに対し、図８（ｃ）に示すように、たとえば基体２４３ａの他端側（図では右側）の突設量Ｔ１を一端側の突設量Ｔより小さくした傾き調整治具２４３Ａ、又は図８（ｄ）に示すように、たとえば基体２４３ａの一端側（図では左側）の突設量Ｔ１を他端側の突設量Ｔより小さくした傾き調整治具２４３Ｂのように、それぞれの形状が異なるようにした傾き調整治具２４３Ａ又は２４３Ｂのいずれかを用いることで、液晶表示部２４０，２４２の傾きがケース体２５０内部の取付部位２５０ａ，２５０ｃの傾きを補正した角度で調整されることになる。
【００７９】
すなわち、このような傾き調整治具２４３Ａ，２４３Ｂのいずれかを用いて液晶表示部２４０，２４２が取り付けられると、液晶表示部２４０，２４２の傾き角度が図８（ａ）に示した傾き調整治具２４３とは異なるように調整されることになる。よって、それぞれの形状が異なる傾き調整治具２４３，２４３Ａ，２４３Ｂのいずれかを用いることにより、遊技機のタイプに応じて液晶表示部２４０，２４２あるいは複数の液晶表示部２４０，２４１，２４２全体に対する視野角を最適化することができる。
【００８０】
このような構成の第２演出表示装置２００は、取付枠体２２０の下方の取付部２２３の背面側に、基板ケース２７１の収容された中央表示制御基板２７０を取り付けた後、取付枠体２２０の中央の分離窓２２１ｂの下方に設けられているパトランプ取付部２２６ｄにパトランプ２３０を取り付ける。このとき、基板ケース２７１の収容された中央表示制御基板２７０は、後述のように、取付枠体２２０のパトランプ取付部２２６ｄからパトランプ２３０を取り外さない限り、取り外しができなくなる。
【００８１】
また、取付枠体２２０の突出枠２２６に、液晶表示部２４０，２４１，２４２を収容したケース体２５０を取り付ける。このとき、突出枠２２６の各分離窓２２１ａ，２２１ｂ，２２１ｃに、それぞれの液晶表示部２４０，２４１，２４２の表示面が位置合わせされ、これらの分離窓２２１ａ，２２１ｂ，２２１ｃから各液晶表示部２４０，２４１，２４２の表示状態を確認することができる。
【００８２】
また、ケース体２５０の背面側に、サブ制御基板２６０を収容した基板ケース２６１を取り付けた後、サブ制御基板２６０に設けられている接続コネクタ２６３ａ，２６３ｂ，２６３ｃ，２６３ｄと、ケース体２５０の開口部２５６から露出している回路基板２４４ａ，２４４ｂ，２４４ｃ側の接続コネクタ２５５ａ，２５５ｂ，２５５ｃとを、図示しないハーネスによって接続する。その後、ケース体２５０の背面側に、ハーネス収容ケース２８０を取り付ける。
【００８３】
このとき、ハーネス収容ケース２８０のハーネス収容部２８２，２８３に、それぞれの図示しないハーネスを収容させる。ここで、ハーネス収容部２８２は、サブ制御基板２６０側の接続コネクタ２６３ａ，２６３ｂと、回路基板２４４ａ，２４４ｂ側の接続コネクタ２５５ａ，２５５ｂとを接続する図示しないハーネスが収容されるようになっているため、これらのハーネスを収容する際に配線間違いを容易に確認することができる。また、ハーネス収容部２８３は、サブ制御基板２６０側の接続コネクタ２６３ｄと、回路基板２４４ｃ側の接続コネクタ２５５ｃとを接続する図示しないハーネスが収容されるようになっているため、そのハーネスを収容する際に配線間違いを容易に確認することができる。以上のような組立手順によって第２演出表示装置２００が組み立てられる。
【００８４】
図９〜図１２は、上述したパトランプ２３０の詳細を説明するための図である。ここで、図９は図１のパトランプ２３０を示す分解斜視図、図１０は図９のパトランプ２３０の要部を説明するための分解斜視図、図１１は図９のパトランプ２３０の取付状態を説明するための断面図、図１２は図１１のパトランプ２３０の要部を説明するための断面図である。
【００８５】
まず、図９及び図１０に示すように、パトランプ２３０は、上述したように、弧状の反射鏡２３１と光源体２３２とを有している。ここで、反射鏡２３１は、全体が金属膜で覆われた硬質プラスチックより形成されている。また、反射鏡２３１の基体２３１ａには、この基体２３１ａの両側と奥側とを囲むように側壁部２３１ｂ，２３１ｃ，２３１ｄが立設されている。これらの側壁部２３１ｂ，２３１ｃ，２３１ｄの内側は弧状に形成されているとともに、凹凸加工が施されている。
【００８６】
このように、側壁部２３１ｂ，２３１ｃ，２３１ｄの内側に凹凸加工が施されることで、光源体２３２からの光が乱反射し、反射鏡２３１の内側の全体が光り輝くことになり、ゲーム進行に合わせた光による演出効果が高められるようになっている。
【００８７】
また、基体２３１ａの下部に設けられている凹部２３１ｅの奧部には、図示しないねじ挿通穴が設けられている。また、側壁部２３１ｂ，２３１ｄの上部には凹部２３１ｆが設けられ、この凹部２３１ｆの奧部にねじ挿通穴２３１ｇが設けられている。
【００８８】
そして、基体２３１ａの凹部２３１ｅの奧部の図示しないねじ挿通穴と、側壁部２３１ｂ，２３１ｄのねじ挿通穴２３１ｇとは、図６に示した取付枠体２２０のパトランプ取付部２２６ｄのねじ穴２２６ｅに位置決めされるとともに、図示しないねじによって螺着されるようになっている。なお、図中符号２３１ｈは図６に示した取付枠体２２０のパトランプ取付部２２６ｄに設けられている図示しない位置決めリブに係合される係合穴を示している。また、基体２３１ａの中央部分には、光源体２３２の後述の透明なレンズカバー２３８を挿通させる挿通穴２３１ｉが形成されている。
【００８９】
光源体２３２は、硬質プラスチックよりなるベース体２３３を有している。このベース体２３３の下方には駆動モータ２３４が配設され、ベース体２３３の上方には下部回路基板２３５、回転鏡２３６、上部回路基板２３７、透明なレンズカバー２３８、カバー体２３９が配設されるようになっている。
【００９０】
ここで、駆動モータ２３４には、駆動軸２３４ａと、ねじ挿通穴２３４ｂを有する取付片２３４ｃとが設けられている。ベース体２３３の下面側には、駆動モータ２３４の取付片２３４ｃのねじ挿通穴２３４ｂに挿通される図示しないねじが螺着される図示しないねじ穴が設けられており、ねじ挿通穴２３４ｂに図示しないねじを挿通して同じく図示しないねじ穴に螺着することで、駆動モータ２３４がベース体２３３の下面側に取り付けられるようになっている。
【００９１】
また、ベース体２３３には、駆動モータ２３４の駆動軸２３４ａを挿通させる挿通穴２３３ａと、下部回路基板２３５を収容する収容部２３３ｂと、図示しないねじ挿通穴を有し反射鏡２３１の下面側に取り付けられる取付部２３３ｃと、透明なレンズカバー２３８の後述の取付片２３８ｂを収容しその取付片２３８ｂのねじ穴２３８ａをねじによって螺着する取付部２３３ｄとが設けられている。
【００９２】
下部回路基板２３５には、駆動モータ２３４の駆動軸２３４ａ及び回転鏡２３６の後述の軸結合部２３６ａを挿通させる挿通穴２３５ａと、発光体であるたとえば３個のＬＥＤ（Ｌｉｇｈｔ  Ｅｍｉｔｔｉｎｇ  Ｄｉｏｄｅ）２３５ｂとが設けられている。ここで、それぞれのＬＥＤ２３５ｂは発光色が異なるものである（たとえば、赤、緑、青）。
【００９３】
また、これらのＬＥＤ２３５ｂは、ゲームの進行に応じた演出の際に点灯又は点滅表示するものである。ここで、ＬＥＤ２３５ｂの点灯又は点滅表示においては、ゲームの進行の内容に応じて１個のみの点灯又は点滅、又はいずれか２個による点灯又は点滅、又は３個による点灯又は点滅、又はいずれかの組み合わせとすることができる。
【００９４】
また、３個のＬＥＤ２３５ｂを同時に点灯又は点滅させた場合は、ほぼ白色の発光色が得られる。また、３個のＬＥＤ２３５ｂを同時に点灯又は点滅させる場合は、いずれかのＬＥＤ２３５ｂの駆動電圧を変えることで、たとえば橙、黄、、藍、紫等の多彩な発光色が得られる。よって、ゲームの進行の内容に応じてこれらのＬＥＤ２３５ｂの駆動を制御することで、演出表示における多彩な光演出が可能となる。
【００９５】
回転鏡２３６には、駆動モータ２３４の駆動軸２３４ａに結合される軸結合部２３６ａと、この軸結合部２３６ａに一体に形成され円形鏡部２３６ｂをねじ２３６ｃによって取り付ける取付部２３６ｄとが設けられている。ここで、回転鏡２３６は、全体が金属膜で覆われた硬質プラスチックより形成されている。
【００９６】
また、回転鏡２３６は、回転軸である駆動モータ２３４の駆動軸２３４ａに対して傾けられるように取り付けられている。このように、回転鏡２３６が傾けられることで、回転鏡２３６の回転に伴い円形鏡部２３６ｂの表面と裏面とでのＬＥＤ２３５ｂからの反射と、後述のＬＥＤ２３７ｂからの光との反射を切り替えることができる。すなわち、円形鏡部２３６ｂの表面が遊技者に向けられた位置ではＬＥＤ２３５ｂからの光が反射されることになり、円形鏡部２３６ｂの裏面が遊技者に向けられた位置ではＬＥＤ２３７ｂからの光が反射されることになる。
【００９７】
また、回転鏡２３６の円形鏡部２３６ｂは、表面と裏面とが凹形とされた、いわゆる凹面鏡形状とされている。また、円形鏡部２３６ｂの表面と裏面とには、凹凸加工が施されており、下部回路基板２３５のＬＥＤ２３５ｂからの光と、上部回路基板２３７の後述のＬＥＤ２３７ｂからの光とを回転しつつ乱反射させるようになっている。
【００９８】
このような乱反射により、回転鏡２３６の円形鏡部２３６ｂの全体が光り輝くことになる。また、回転鏡２３６の円形鏡部２３６ｂによって回転しつつ乱反射された光は、上述した反射鏡２３１の内側でさらに乱反射されるため、反射鏡２３１の内側の全体が光り輝くことになり、反射鏡２３１の内側全体での光の演出と回転鏡２３６の円形鏡部２３６ｂ全体での光の演出とが行われ、これらの相乗効果でゲーム進行に合わせた光による演出効果が高められるようになっている。
【００９９】
上部回路基板２３７は、ねじ係合部２３７ａを介し、カバー体２３９の内側に取り付けられるようになっている。また、上部回路基板２３７には、発光体であるたとえば３個のＬＥＤ（Ｌｉｇｈｔ  Ｅｍｉｔｔｉｎｇ  Ｄｉｏｄｅ）２３７ｂが設けられている。これらのＬＥＤ２３７ｂは、上記同様に、発光色が異なるものである（たとえば、赤、緑、青）。また、上部回路基板２３７には、上述した下部回路基板２３５側と接続される図示しないハーネスのコネクタが接続されるコネクタ部２３７ｃが設けられている。
【０１００】
ここで、ＬＥＤ２３７ｂは、上記同様に、ゲームの進行に応じた演出の際に点灯又は点滅表示するものである。また、これらのＬＥＤ２３７ｂの点灯又は点滅表示においては、上記同様に、ゲームの進行の内容に応じて１個のみの点灯又は点滅、又はいずれか２個による点灯又は点滅、又は３個による点灯又は点滅、又はいずれかの組み合わせとすることができる。
【０１０１】
また、３個のＬＥＤ２３７ｂを同時に点灯又は点滅させた場合は、上記同様に、ほぼ白色の発光色が得られる。また、３個のＬＥＤ２３７ｂを同時に点灯又は点滅させる場合は、上記同様に、いずれかのＬＥＤ２３７ｂの駆動電圧を変えることで、たとえば橙、黄、藍、紫等の多彩な発光色が得られる。よって、ゲームの進行の内容に応じて上記同様に、これらのＬＥＤ２３７の駆動を制御することで、演出表示における多彩な光演出が可能となる。
【０１０２】
また、ゲームの進行の内容に応じてＬＥＤ２３７ｂと上述のＬＥＤ２３５ｂとを同時に点灯又は点滅させることも可能であるし、いずれか一方のＬＥＤ２３７ｂ又はＬＥＤ２３５ｂのいずれか一方を点灯又は点滅させることも可能である。このように、ＬＥＤ２３７ｂと上述のＬＥＤ２３５ｂとの点灯又は点滅を組み合わせることで、さらに多彩な光演出を行うことができる。
【０１０３】
透明なレンズカバー２３８は、全体が透明な硬質プラスチックよりなり、円筒形に形成されるとともに、内側に凹凸加工が施されている。このような凹凸加工により、回転鏡２３６の円形鏡部２３６ｂによって反射された光が乱反射されるため、透明なレンズカバー２３８の全体が光り輝くことになる。また、透明なレンズカバー２３８の下方には、ベース体２３３の取付部２３３ｄに取り付けられるねじ穴２３８ａを有する取付片２３８ｂが設けられている。
【０１０４】
透明なレンズカバー２３８の上方には、カバー体２３９の周囲を係合する係合段部２３８ｃと、カバー体２３９をねじによって取り付けるねじ挿通穴を有する取付片２３８ｄと、カバー体２３９の上部回路基板２３７のコネクタ部２３７ｃを覆う後述の覆い片２３９ａを係合する係合凹部２３８ｅとが設けられている。
【０１０５】
カバー体２３９は、内側に上述した上部回路基板２３７を取り付けるとともに、透明なレンズカバー２３８の上方に取り付けられるものであって、全体が金属膜で覆われた硬質プラスチックより形成されている。カバー体２３９の内側には、透明なレンズカバー２３８の取付片２３８ｄのねじ挿通穴に挿通されるねじが螺着される図示しないねじ穴が形成されている。また、カバー体２３９の後方には、上部回路基板２３７のコネクタ部２３７ｃを覆う覆い片２３９ａが設けられている。
【０１０６】
このような構成のパトランプ２３０は、ベース体２３３の下方に駆動モータ２３４を取り付け、ベース体２３３の上方に下部回路基板２３５を取り付け、駆動モータ２３４の駆動軸２３４ａに回転鏡２３６を取り付ける。また、透明なレンズカバー２３８の上方に、下部回路基板２３５に図示しないハーネスで接続された上部回路基板２３７を装着し、さらにカバー体２３９を装着してねじ固定することで、透明なレンズカバー２３８の上方に上部回路基板２３７及びカバー体２３９を取り付ける。次に、ベース体２３３の取付部２３３ｄに透明なレンズカバー２３８の取付片２３８ｂを取り付けた後、透明なレンズカバー２３８を反射鏡２３１の挿通穴２３１ｉに下方から挿通させ、ベース体２３３の取付部２３３ｃを介してベース体２３３を反射鏡２３１の下面側に取り付ける。以上のような取付手順によってパトランプ２３０が組み立てられる。
【０１０７】
また、以上のようにして組み立てられたパトランプ２３０は、図１１及び図１２に示すように、取付枠体２２０のパトランプ取付部２２６ｄに取り付けられることになる。ここで、取付枠体２２０の下方の取付部２２３の背面側には、透明な硬質プラスチックよりなる基板ケース２７１に収容された中央表示制御基板２７０がねじ２７４によって取り付けられており、取付枠体２２０のパトランプ取付部２２６ｄにパトランプ２３０が取り付けられると、パトランプ２３０の駆動モータ２３４が基板ケース２７１の背面側に位置するようになっている。
【０１０８】
なお、基板ケース２７１に収容された中央表示制御基板２７０は、図６で説明したように、その中心部と両端部の合計３個所がねじ２７４によって取付枠体２２０の下方の取付部２２３の背面側に取り付けられることになるが、その中心部にパトランプ２３０の駆動モータ２３４が位置して、その中心部のねじ２７４の取り外しが邪魔されるようになっている。このような構成により、中央表示制御基板２７０は、取付枠体２２０のパトランプ取付部２２６ｄからパトランプ２３０を取り外さない限り、中心部のねじ２７４の取り外しができないようになっていることから、基板ケース２７１に収容された中央表示制御基板２７０の不正な取り外しや、不正な回路素子等が搭載された基板が収容された基板ケースが正規の基板ケース２７１と差し替えられてしまうような不正行為を防止することができる。
【０１０９】
このように、本実施例では、前扉３の開口窓１４に取り付けられる取付枠体２２０に、それぞれが独立して画像表示を行う複数の画像表示手段としての液晶表示部２４０，２４１，２４２を収容するケース体２５０を取り付けるとともに、中央の液晶表示部２４０の両側の液晶表示部２４０，２４２を傾き調整手段としてのそれぞれ形状の異なる傾き調整治具２４３，２４３Ａ，２４３Ｂのいずれかを介してケース体２５０内部に取り付けることで、液晶表示部２４０，２４２の傾き角度が傾き調整治具２４３，２４３Ａ，２４３Ｂのいずれかの形状に応じて調整されることにより、その液晶表示部２４０，２４２の視野角が調整され、併せて複数の液晶表示部２４０，２４１，２４２全体に対する視野角も調整されるようにした。
【０１１０】
これにより、遊技の進行に合わせた演出表示の制約を大幅に緩和して演出効果をさらに高めるために、それぞれが独立して画像表示を行う複数の液晶表示部２４０，２４１，２４２を設けた場合であっても、遊技機のタイプに応じて個々の液晶表示部２４０，２４２あるいは複数の液晶表示部２４０，２４１，２４２全体に対する視野角を最適化することができる。言い換えれば、遊技機のタイプに応じて個々の液晶表示部２４０，２４２あるいは複数の液晶表示部２４０，２４１，２４２全体に対する視野角を最適化することができることから、演出表示装置としての第２演出表示装置２００の共有化が図れることになる。
【０１１１】
また、本実施例では、傾き調整治具２４３，２４３Ａ，２４３Ｂを、板状の基体２４３ａと、この基体２４３ａの両端に突設された連通穴を有する突設リブ２４３ｂと、これらの突設リブ２４３ｂの先端に突設されたねじ穴を有するリブ２４３ｃとで構成し、基体２４３ａの固定手段としての一端側及び／又は他端側の突設リブ２４３ｂ及びリブ２４３ｃの突設量Ｔ，Ｔ１をそれぞれ異なるようにしているので、簡単な構成で、しかも安価に傾き調整治具２４３，２４３Ａ，２４３Ｂを形成することができる。
【０１１２】
また、本実施例では、ケース体２５０の内面である、上述した液晶表示部２４０，２４２が取り付けられる取付部位２５０ａ，２５０ｃの上下にそれぞれ２個ずつ係合片２５４を設け、これらの係合片２５４に傾き調整治具２４３，２４３Ａ，２４３Ｂのいずれかを係合させるようにしたので、ケース体２５０への傾き調整治具２４３，２４３Ａ，２４３Ｂのいずれかの装着を容易に行うことができる。
【０１１３】
また、本実施例では、ケース体２５０の内面である、上述した液晶表示部２４０，２４２が取り付けられる取付部位２５０ａ，２５０ｃを、ケース体２５０の中央の液晶表示部２４１が取り付けられる取付部位２５０ｂに向けて傾けられるようにしているので、傾き調整治具２４３，２４３Ａ，２４３Ｂの突設リブ２４３ｂ及びリブ２４３ｃの突設量Ｔ，Ｔ１を必要以上に大きくしなくても、遊技機のタイプに応じて個々の液晶表示部２４０，２４２あるいは複数の液晶表示部２４０，２４１，２４２全体に対する視野角を最適化することができる。
【産業上の利用可能性】
【０１１４】
スロットマシンの限らず、パチンコ機、ピンボールゲーム機、アレンジボールゲーム機といった他の遊技機にも適用可能である。
【図面の簡単な説明】
【０１１５】
【図１】本発明の演出表示装置が適用される回胴式遊技装置の一例を示す図である。
【図２】図１の回胴式遊技装置を示す分解斜視図である。
【図３】図１の回胴式遊技装置の内部構成を示す断面図である。
【図４】図３の回胴式遊技装置をＡ−Ａ線に沿って示す断面図である。
【図５】図４の第２演出表示装置を拡大して示す平面図である。
【図６】図４の第２演出表示装置を示す分解斜視図である。
【図７】図４の第２演出表示装置の各液晶表示部の取り付けを説明するための図である。
【図８】図７の傾き調整治具を説明するための図である。
【図９】図１のパトランプを示す分解斜視図である。
【図１０】図９のパトランプの要部を説明するための分解斜視図である。
【図１１】図９のパトランプの取付状態を説明するための断面図である。
【図１２】図１１のパトランプの要部を説明するための断面図である。
【符号の説明】
【０１１６】
１  スロットマシン
２  筐体
３  前扉
３Ａ  上部パネル部
３Ｂ  中部パネル部
３Ｃ  操作卓部
３Ｄ  下部パネル部
７  ベットボタン
８  スタートレバー
９ａ，９ｂ，９ｃ  ストップボタン
１１  受皿ユニット
１３  枠穴
１４  開口窓
１００  第１演出表示装置
１０１，１０２，１０３  メインリール
１１０  メインリール機構部
１２０  回胴装置基板
１２１  基板ケース
１３０  表示パネル
１３１  透明窓
２００  第２演出表示装置
２１０  パネル部材
２２０  取付枠体
２２１ａ，２２１ｂ，２２１ｃ  分離窓
２２２  取付部
２２２ａ  反射鏡保持部
２２３  取付部
２２３ａ  ランプ
２２６  突出枠
２２６ａ，２２６ｂ，２２６ｃ  当接部位
２２６ｄ  パトランプ取付部
２３０  パトランプ
２３１  反射鏡
２３１ｂ，２３１ｃ，２３１ｄ  側壁部
２３２  光源体
２３３  ベース体
２３４  駆動モータ
２３４ａ  駆動軸
２３５  下部回路基板
２３６  回転鏡
２３６ｂ  円形鏡部
２３７  上部回路基板
２３８  レンズカバー
２３９  カバー体
２４０，２４１，２４２  液晶表示部
２４０ａ，２４１ａ，２４２ａ  ケース
２４３，２４３Ａ，２４３Ｂ  傾き調整治具
２４４ａ，２４４ｂ，２４４ｃ  回路基板
２５０  ケース体
２５５ａ，２５５ｂ，２５５ｃ  接続コネクタ
２６０  サブ制御基板
２６１  基板ケース
２６３ａ，２６３ｂ，２６３ｃ，２６３ｄ  接続コネクタ
２７０  中央表示制御基板
２７１  基板ケース
２８０  ハーネス収容ケース
２８２，２８３  ハーネス収容部
３００  ホッパ装置
４００  補助貯留部
５００  電源装置
２３５ｂ，２３７ｂ  ＬＥＤ
【図１】
2008220678.tif 000003
【図２】
2008220678.tif 000004
【図３】
2008220678.tif 000005
【図４】
2008220678.tif 000006
【図５】
2008220678.tif 000007
【図６】
2008220678.tif 000008
【図７】
2008220678.tif 000009
【図８】
2008220678.tif 000010
【図９】
2008220678.tif 000011
【図１０】
2008220678.tif 000012
【図１１】
2008220678.tif 000013
【図１２】
2008220678.tif 000014